(57)【要約】【課題】  一つの光テープに異なるトラック幅でデータを記録できるようにする。【解決手段】  予め記録されたサーボトラックＳＴから読み取られるサーボ信号ＳＳ１を利用して、光ピックアップユニットＰ１のトラッキングが行われる光テープＯＴ１である。サーボトラックＳＴは、光テープＯＴ１の幅方向の全幅または一部にわたって複数隣接して記録され、各サーボトラックＳＴ内には、サーボ信号ＳＳ１とは別個に、トラック位置及び光テープの長手方向の位置を特定するアドレスを示すアドレス信号ＡＤ１が所定の間隔で記録されている。【選択図】      図１
2005166164.tif 000002
【特許請求の範囲】
【請求項１】
予め記録されたサーボトラックから読み取られるサーボ信号を利用して、トラッキングが行われる光テープであって、
前記サーボトラックは、光テープの幅方向の全幅または一部にわたって複数隣接して記録され、
各サーボトラック内には、前記サーボ信号とは別個に、トラック位置および光テープの長手方向の位置を特定するアドレス信号が所定の間隔で記録されていることを特徴とする光テープ。
【請求項２】
前記サーボ信号は、非平行な組の直線状のパターンが繰り返し記録されたことを特徴とする請求項１に記載の光テープ。
【請求項３】
前記サーボ信号は、前記サーボトラック内の幅方向の位置に応じて徐々にパルス回数が変化する信号が繰り返し記録されたことを特徴とする請求項１に記載の光テープ。
【請求項４】
請求項１から請求項３のいずれか１項に記載の光テープがカートリッジケース内のリールに巻装されたことを特徴とする光テープカートリッジ。
【請求項５】
請求項４に記載の光テープカートリッジであって、
前記光テープの一部に、光テープ内に記録されるデータのインデックスと、そのデータが記録されたアドレスの情報とを含む参照情報が記録されることを特徴とする光テープカートリッジ。
【請求項６】
前記参照情報は、前記光テープの始端から所定の長さの範囲に記録されることを特徴とする請求項５に記載の光テープカートリッジ。
【請求項７】
請求項４に記載の光テープカートリッジであって、
光テープ内に記録されるデータのインデックスと、そのデータが記録されたアドレスの情報とを含む参照情報が記録される接触式あるいは非接触式のメモリを有することを特徴とする光テープカートリッジ。
【請求項８】
請求項５または請求項６に記載の光テープカートリッジにデータを記録する光テープドライブであって、
前記光テープを走行させる光テープ走行系と、
前記光テープ上のサーボ信号および前記アドレス信号を読み取るサーボ信号用光ピックアップ、ならびに前記光テープにデータを記録し、光テープからデータを再生するデータ用光ピックアップを少なくとも有する光ピックアップユニットと、
前記サーボ信号用光ピックアップが読み取ったサーボ信号に基づき前記データ用光ピックアップのトラッキングを行うサーボ制御装置と、
前記光テープ走行系および前記光ピックアップユニットを制御するコントロールユニットとを有し、
前記コントロールユニットは、
前記データ用光ピックアップが読み取った前記参照情報に基づき、次の記録アドレスを決定し、
前記サーボ信号用光ピックアップが読み取ったアドレス信号に従って前記データ用光ピックアップが前記記録アドレスに位置するように前記光テープ走行系および前記光ピックアップユニットを駆動し、
記録すべきデータに基づき前記データ用光ピックアップに記録信号を付与するよう構成されたことを特徴とする光テープドライブ。
【請求項９】
請求項７に記載の光テープカートリッジにデータを記録する光テープドライブであって、
前記光テープを走行させる光テープ走行系と、
前記光テープ上のサーボ信号および前記アドレス信号を読み取るサーボ信号用光ピックアップ、ならびに前記光テープにデータを記録し、前記光テープからデータを再生するデータ用光ピックアップを少なくとも有する光ピックアップユニットと、
前記メモリから前記参照情報を読み取るメモリリーダと、
前記サーボ信号用光ピックアップが読み取ったサーボ信号に基づき前記光ピックアップのトラッキングを行うサーボ制御装置と、
前記光テープ走行系、前記光ピックアップユニット、および前記メモリリーダを制御するコントロールユニットとを有し、
前記コントロールユニットは、
前記メモリリーダが読み取った前記参照情報に基づき、次の記録アドレスを決定し、
前記サーボ信号用光ピックアップが読み取ったアドレス信号に従って前記データ用光ピックアップが前記記録アドレスに位置するように前記光テープ走行系および前記光ピックアップユニットを駆動し、
記録すべきデータに基づき前記光ピックアップに記録信号を付与するよう構成されたことを特徴とする光テープドライブ。
【請求項１０】
前記データ用光ピックアップは、前記サーボ信号および前記アドレス信号を上書きしつつ、データを記録することを特徴とする請求項８または請求項９に記載の光テープドライブ。
【請求項１１】
サーボ信号用光ピックアップおよびデータ用光ピックアップを有する光ピックアップユニットを使用して請求項５または請求項６に記載の光テープカートリッジ内の光テープへデータを記録する光テープへのデータ記録方法であって、
（ａ）前記データ用光ピックアップにより、前記参照情報を読み取って、次の記録アドレスを決定するステップと、
（ｂ）前記サーボ信号用光ピックアップが読み取った前記アドレス信号に従って前記データ用光ピックアップが前記記録アドレスへ位置するように、光テープを走行させ、前記光ピックアップユニットを移動させるステップと、
（ｃ）記録すべきデータに基づき、前記データ用光ピックアップに記録信号を付与して、前記光テープにデータを記録するステップと、
を有することを特徴とする光テープへのデータ記録方法。
【請求項１２】
前記（ｃ）ステップにおいて、前記サーボトラックの前記サーボ信号と前記アドレス信号との上にデータを上書きしながら記録することを特徴とする請求項１１に記載の光テープへのデータ記録方法。
【発明の詳細な説明】
【技術分野】
【０００１】
本発明は、光で情報を記録する光テープ、光テープカートリッジ、光テープドライブ、及び光テープへのデータ記録方法に関する。
【背景技術】
【０００２】
情報記録システムの高記録密度化に伴い、トラッキングをより正確に行う技術が必要となってきている。現行の情報記録テープフォーマットは、この問題を解決するために、サーボトラッキング用の信号（サーボ信号）を予め情報記録テープに記録しておき、ドライブ上でそのサーボ信号を読み取りながらトラッキングを行いつつデータを記録し、または再生している。
【０００３】
しかし、さらに記録密度が高くなると、データのサーチや、追加書込（アペンド）する際にデータの位置の頭出しに非常に時間が掛かるようになり、利便性が低くなる。そこで、サーボ信号に位置情報をエンコードして、より高速で効率的な位置出し（ロケート）ができる技術が提供されている。これらの技術は、一般的にサーボ信号を記録する位置とデータを記録する位置とがテープ上で分離しており、サーボ信号のために多くの面積が占有されている。
【０００４】
光テープシステムでは、磁気テープシステムと比較してより高い面記録密度で記録再生が可能である。また、磁気テープシステムに見られるようなテープとヘッドの物理的な接触を回避できるため、メディアの繰り返し使用においても品質が劣化しにくい。このような光テープを使用した情報記録システムの例として特許文献１および特許文献２などがある。
【特許文献１】米国特許第６１４０３０１号明細書
【特許文献２】米国特許第６１４１３１２号明細書
【発明の開示】
【発明が解決しようとする課題】
【０００５】
しかし、このような光テープを含む現行のテープシステムでは、データのトラック間隔およびトラック位置は、システムごとに決められており、「任意の」トラック間隔あるいはトラック位置を一つのシステムで混在させることが困難である。例えば、あるドライブによってトラック幅がＴｗ（μｍ）でデータが記録されているテープに、そのドライブの後継機種によってＴｗ／２（μｍ）のトラック幅でデータを追加書込することはできない。
そのため、ある世代のテープドライブで記録されたテープは、他の世代のドライブ、あるいは他のシステムによって再生はできても、記録はできない場合が多い。さらに、機種間、システム間、世代間での互換性が低いため、過去に記録したデータが再生できないなどの問題を引き起こす。
【０００６】
また、従来のテープシステムは、「任意の」トラック位置にデータを記録することが困難であるため、シーケンシャルなデータ構造による記録方法が好まれる。しかし、データアクセスの観点からは、シーケンシャルなデータ構造は非効率的といえる。
【０００７】
このような問題に鑑みて本発明がなされたものであり、本発明は、任意のトラック幅でデータを記録することが可能な光テープ、光テープカートリッジ、光テープドライブ、及び光テープへのデータ記録方法を提供することを目的とする。
【課題を解決するための手段】
【０００８】
前記課題を解決するため、本発明では、光テープの表面にセル化した情報記録単位で、それぞれがアドレスを有するセルの集合体を記録し、そのセルを構成する一部の信号をテープの位置情報とする技術を提供する。これらのセルは、ユーザのデータ記録の際に、必要なだけ消去、上書きすることができる。
【０００９】
すなわち、本発明は、予め記録されたサーボトラックから読み取られるサーボ信号を利用して、光ピックアップユニットのトラッキングが行われる光テープであって、前記サーボトラックは、光テープの幅方向の全幅または一部にわたって複数隣接して記録され、各サーボトラック内には、前記サーボ信号とは別個に、トラック位置及び光テープの長手方向の位置を特定するアドレスが所定の間隔で記録されていることを特徴とする。
【００１０】
このような光テープによれば、サーボトラックが隣接して記録されていることで、データトラックの幅が、一単位で記録される場合や、複数単位で記録される場合が混在しても、参照するサーボトラックが存在するため、記録が可能となる。
【００１１】
前記したサーボトラック内に記録されるサーボ信号は、非平行な組の直線状のパターンが繰り返し記録される場合や、前記サーボトラック内の幅方向の位置に応じて徐々にパルス回数が変化する信号が繰り返し記録される場合などがある。
【００１２】
また、前記サーボトラックに、サーボ信号とは別個に記録されるアドレスは、前記サーボトラック内に一定の間隔で記録しておくことができる。
【００１３】
そして、前記した光テープを、カートリッジケース内のリールに巻装させて光テープカートリッジを構成することができる。
【００１４】
この光テープカートリッジは、前記光テープの一部に、光テープ内に記録されるデータのインデックスと、そのデータが記録された前記アドレスとを含む参照情報を記録しておくことにより、インデックス及びアドレスを参照すれば、直ちに記録位置または再生位置が検索可能である。この参照情報は、光テープの始端から所定の長さの範囲に記録しておけば、光テープカートリッジを装填してすぐにインデックス及びアドレスの情報を読み取ることが可能である。また、この参照情報は、光テープに記録しておくのに代えて、接触式あるいは非接触式のメモリに記憶させておくこともできる。なお、インデックスは、データの内容についての見出しである。
【００１５】
また、このような光テープカートリッジにデータを記録する光テープドライブは、前記光テープを走行させる光テープ走行系と、前記光テープ上のサーボ信号および前記アドレス信号を読み取るサーボ信号用光ピックアップ、ならびに前記光テープにデータを記録し、前記光テープからデータを再生するデータ用光ピックアップを少なくとも有する光ピックアップユニットと、前記サーボ信号用光ピックアップが読み取ったサーボ信号に基づき前記データ用光ピックアップのトラッキングを行うサーボ制御装置と、前記光テープ走行系および前記光ピックアップユニットを制御するコントロールユニットとを有し、前記コントロールユニットは、前記データ用光ピックアップが読み取った前記参照情報に基づき、次の記録アドレスを決定し、前記サーボ信号用光ピックアップが読み取ったアドレス信号に従って前記データ用光ピックアップが前記記録アドレスに位置するように前記光テープ走行系および前記光ピックアップユニットを駆動し、記録すべきデータに基づき前記光ピックアップユニットに記録信号を付与するよう構成することができる。
【００１６】
また、前記参照情報を別途のメモリに記憶させた場合には、前記光テープドライブは、メモリから参照情報を読み出すメモリリーダを有し、前記コントロールユニットは、このメモリリーダが読み出した参照情報に基づき、次の記録アドレスを決定するように構成すればよい。
【００１７】
そして、前記データ用光ピックアップは、前記サーボ信号及び前記アドレスを上書きしつつ、データを記録するよう構成することができる。
【００１８】
また、サーボ信号用光ピックアップおよびデータ用光ピックアップを有する光ピックアップユニットを使用して前記した光テープカートリッジ内の光テープへデータを記録する光テープへのデータ記録方法であって、（ａ）前記データ用光ピックアップにより、前記参照情報を読み取って、次の記録アドレスを決定するステップと、（ｂ）前記サーボ信号用光ピックアップが読み取った前記アドレス信号に従って前記データ用光ピックアップが前記記録アドレスへ位置するように、光テープを走行させ、前記光ピックアップユニットを移動させるステップと、（ｃ）記録すべきデータに基づき、前記データ用光ピックアップに記録信号を付与して、前記光テープにデータを記録するステップと、を有する。
そして、前記（ｃ）ステップにおいて、前記サーボトラックの前記サーボ信号と前記アドレス信号との上にデータを上書きしながら記録することができる。
【発明の効果】
【００１９】
このような光テープ、光テープカートリッジ、光テープドライブ、及び光テープへのデータ記録方法によれば、一つの光テープへ、異なるトラック幅でデータを記録することが可能となる。
【発明を実施するための最良の形態】
【００２０】
次に、本発明の実施形態について、適宜図面を参照しながら詳細に説明する。図１は、本発明の実施形態に係る光テープの概念図であり、図２は、実施形態に係る光テープに記録されたサーボ信号を説明する図である。
【００２１】
図１に示すように、実施形態に係る光テープＯＴ１は、予めサーボ信号ＳＳ１を記録するサーボライタ（図３参照。詳細は後記する。）により、光テープＯＴ１の全幅にわたって、サーボ信号ＳＳ１が記録されている。サーボ信号ＳＳ１は、所定のパターンの光記録された領域が、光テープＯＴ１の長手方向に繰り返し記録されることで、光テープＯＴ１の長手方向に延びるサーボトラックＳＴが形成されている。光テープＯＴ１の幅方向の両端、すなわち、光テープＯＴ１の全幅にわたって隣接して形成されたサーボトラック群の両側には、サーボ信号もデータも記録されないマージン領域ＭＧが設けられている。マージン領域ＭＧは、サーボ信号ＳＳ１を記録する際に、幅方向端部のサーボ信号ＳＳ１が光テープＯＴ１のエッジＥから外れないように余裕をとったものである。光テープＯＴ１は、例えばベースフィルムに相変化記録膜が塗布されたもので、レーザの照射により、結晶状態とアモルファス状態との間で相変化させる。データの再生時には、弱いレーザを照射することで、アモルファスと結晶の屈折率の差に起因する反射率変化を検出する。光テープＯＴ１は、モータＭにより巻き取られることで図１中左から右へ向かって走行し、光ピックアップユニットＰ１によりレーザ光が照射され、データの記録・再生が行われる。
【００２２】
光ピックアップユニットＰ１の光テープＯＴ１の対向面Ｐ１１には、サーボ信号用光ピックアップＳＰと、データ用光ピックアップＤＰとが適宜な間隔で配設されている。光ピックアップユニットＰ１は、サーボ信号用光ピックアップＳＰが読み取ったサーボ信号ＳＳ１に従い、サーボ制御装置ＳＤにより光テープＯＴ１に対しトラッキング制御される。
【００２３】
図２（ａ）に示すように、各サーボトラックＳＴは、サーボ信号ＳＳ１が所定の間隔で光テープＯＴ１の長手方向に繰り返し記録されている。各サーボ信号ＳＳ１は、図２（ｂ）に示すサーボパターンＳＰ１のように、光テープＯＴ１の幅方向の中央では３つの光記録部分（相変化部分）があり、両端にいくに従い、２つ、１つの光記録部分が形成され、全体として略菱形のパターンとなっている。
【００２４】
サーボパターンＳＰ１は、サーボトラックＳＴの幅と略同程度の間隔で繰り返し記録されることにより、サーボパターンＳＰ１及びサーボトラックＳＴの境界ＢＤにより囲まれる擬似的なセルＣ１を構成する。このセルＣ１は、データを記録する最小単位の領域となる。
【００２５】
各セルＣ１の中央には、アドレス信号ＡＤ１が記録されている。アドレス信号ＡＤ１は、光テープＯＴ１中における長手方向の位置、及びトラック位置を示す情報を含んでいる。アドレス信号ＡＤ１は、これらの情報がバイナリ情報としてエンコードされて記録されている。また、アドレス信号ＡＤ１は、一つの光テープカートリッジ（詳細は後記）の光テープＯＴ１内に同じアドレスが存在しないようにするのが好ましい。さらに、アドレス信号ＡＤ１は、光テープＯＴ１の長手方向または幅方向に番地が漸増あるいは漸減するように配置されるのが好ましい。このようにすることにより、一部のアドレス信号ＡＤ１が欠落しても、その規則性から光ピックアップユニットＰ１のロケートが可能になる。
図２（ａ）の例においては、隣り合うサーボトラックＳＴのセルＣ１は、光テープＯＴ１の長手方向に揃って配置されているが、隣り合うサーボトラックＳＴのセルＣ１の位置を長手方向にシフトさせて配置してもよい。
【００２６】
このような光テープＯＴ１は、図３に示すようなサーボライタ１０によりサーボ信号ＳＳ１およびアドレス信号ＡＤ１を書き込むことで作ることができる。
サーボライタ１０は、光テープＯＴを送り出す送出リール１１と、サーボ信号ＳＳ１を書き込んだ後の光テープＯＴ１を巻き取る巻取リール１２と、これらを駆動するモータ（図示せず）を有する。また、サーボライタ１０は、送出リール１１から送り出された光テープＯＴを案内する複数のガイドローラ１３と、光テープＯＴ，ＯＴ１を一定速度で走行させるためのピンチローラ１４と、サーボ信号ＳＳ１を書き込むサーボライトレーザＳＷＬと、アドレス信号ＡＤ１を書き込むアドレスライトレーザＡＷＬと、書き込んだサーボ信号ＳＳ１及びアドレス信号ＡＤ１を検査する検査用光ピックアップＶＰとを有する。
【００２７】
サーボライトレーザＳＷＬは、光テープＯＴの幅方向に振れることができるように微動制御され、サーボパターンＳＰ１を記録するため、光テープＯＴの走行に応じて間歇的にレーザを照射するとともに光テープＯＴの幅方向に高速でレーザを振る。
【００２８】
同様に、アドレスライトレーザＡＷＬも、光テープＯＴの幅方向に振れることができるように微動制御される。そして、アドレス信号ＡＤ１を記録するため、間歇的にレーザを照射するとともに光テープＯＴの走行に応じて光テープＯＴの幅方向に高速でレーザを振る。
【００２９】
このような光テープＯＴ１をサーボ信号用光ピックアップＳＰで読み取った場合には、図２（ｃ）に示すような信号が検出される。図２（ｃ）は、図２（ａ）のＡ，Ｂ，Ｃ，Ｄの各ライン上をサーボ信号用光ピックアップＳＰがトレースして信号を読み取った時の信号の出力を示す。
Ａ，Ｃ，Ｄのラインを通過した場合には、サーボパターンＳＰ１の両端付近を通過するため、パルス信号ＰＡ１，ＰＣ１，ＰＤ１のパルスは１つのサーボパターンＳＰ１を通過するごとに１回だけであり、Ｂのラインをトレースした場合には、サーボパターンＳＰ１の中央を通過するため、パルス信号ＰＢ１のパルスは１つのサーボパターンＳＰ１を通過するごとに３回検出される。また、Ｂのラインを通過した場合には、アドレス信号ＡＤ１も検出される。
【００３０】
このように、サーボトラックＳＴ内の幅方向の位置に応じて徐々にパルス回数が変化する信号が繰り返し記録されたサーボ信号ＳＳ１を採用した場合には、パルス回数が最大になるように光ピックアップユニットＰ１を制御すれば、サーボ信号用光ピックアップＳＰがサーボトラックＳＴの中央を正確にトレースできることになる。
【００３１】
前記したサーボパターンには、各種の変形例が考えられる。
図４は、サーボパターンの他の例を示し、（ａ）が光テープ上のサーボパターンを示す図、（ｂ）がサーボ信号読取素子で（ａ）の光テープからサーボ信号を読み取った信号を示す。
【００３２】
図４（ａ）に示すように、光テープＯＴ２に記録されたサーボ信号ＳＳ２（サーボパターンＳＰ２）は、光テープＯＴ２の長手方向に対して斜めに形成された直線状のパターンＳＰ２１と、パターンＳＰ２１に対して、逆に斜めに形成された直線状のパターンＳＰ２２のセットからなり、これらが所定間隔で長手方向に繰り返し書き込まれている。なお、ここでは図４（ａ）において、上側が狭くなった２本のパターンＳＰ２１とパターンＳＰ２２を１つのセットとする。そして、各サーボトラックＳＴの境界ＢＤとサーボパターンＳＰ２で囲まれる各セルＣ２の中央には、アドレス信号ＡＤ２が書き込まれている。なお、このセルＣ２は、データを記録する最小単位の領域となる。
【００３３】
そのため、図４（ａ）に示すＡ，Ｂ，Ｃ，Ｄのラインをサーボ信号用光ピックアップＳＰが通過してサーボ信号ＳＳ２を読み取った場合には、図４（ｂ）に示すようなパルス信号が検出される。すなわち、Ａ，Ｄのラインを通過した場合には、サーボパターンＳＰ２の図中上端付近の狭くなった部分を通過するため、パルス信号ＰＡ２，ＰＤ２の時間間隔は短く、Ｃのラインをトレースした場合には、サーボトラックＳＴの下端を通過するため、パルス信号ＰＣ２の時間間隔が長く検出される。そして、Ｂのラインを通過した場合には、パルス信号ＰＢ２の時間間隔が、ＡやＣの場合の中間となる。また、Ｂのラインを通過した場合には、アドレス信号ＡＤ２も検出される。
【００３４】
このように、非平行な組の直線状のパターンが繰り返し記録されたサーボ信号ＳＳ２を採用した場合には、パルス信号の時間間隔が所定値（Ｂのラインを通過するときのタイミング）になるように光ピックアップユニットＰ１の位置を制御すれば、サーボ信号用光ピックアップＳＰがサーボトラックＳＴの中央を正確にトレースできることになる。
【００３５】
図５は、サーボパターンの他の例を示す。図５の例では、図３の例に対し、アドレス信号ＡＤ３を全てのセルＣ３には設けず、光テープＯＴ３の長手方向について１つおきのセルＣ３に設けている。この場合、図６に太線で囲った、長手方向に隣り合う２つのセルＣ３を組み合わせたセルＣ３０が、データを記録する最小単位の領域となる。
【００３６】
前記した光テープＯＴ１は、図６に示すように、リール２２に巻装された上で、カートリッジケース２１に収容して光テープカートリッジ２０を構成することもできる。このようにカートリッジとして構成することで、取扱いを容易にすることができる。そして、巻装された光テープＯＴ１のいずれかの位置（一部）に、光テープＯＴ１内に記録されるデータのインデックスと、そのデータが記録されたアドレスの情報とを含む参照情報が記録される。この参照情報は、光テープＯＴ１の始端から所定の長さの範囲に記録されるのが望ましい。このようにしておくことで、光テープカートリッジ２０を使い始めるときに、参照情報を読み取ることができ、データのアクセス速度を向上させることができる。なお、光テープＯＴ１を引き出すリーダテープＬＴを光テープＯＴ１の端部に有するときは、リーダテープＬＴが終わった後から参照情報を記録してもよいし、リーダテープＬＴ自体に光記録層を有している場合には、リーダテープＬＴ自体に参照情報を記録してもよい。
【００３７】
次に、光テープカートリッジ２０の光テープＯＴ１にデータを記録し、また、光テープＯＴ１からデータを再生する光テープドライブについて説明する。
図７は、光テープドライブの模式図である。
光テープドライブ３０は、光テープカートリッジ２０のリール２２を回転駆動するモータＭと、光テープカートリッジ２０から引き出された光テープＯＴ１を巻き取る装置リール３２及びこれを回転駆動するモータＭと、光テープＯＴ１を案内する複数のガイドローラ３１とを光テープ走行系として有する。
そして、前記した光ピックアップユニットＰ１を有する。光ピックアップユニットＰ１は、サーボ信号用光ピックアップＳＰと、光テープＯＴ１の幅方向に複数所定間隔で設けられたデータ用光ピックアップＤＰとを有する。
【００３８】
光ピックアップユニットＰ１は、前記したとおり、サーボ信号用光ピックアップＳＰが読み取ったサーボ信号ＳＳ１に基づきサーボ制御装置ＳＤによりトラッキングされる。また、光テープドライブ３０は、記録信号をデータ用光ピックアップＤＰに付与する記録信号発生回路３３と、データ用光ピックアップＤＰが読み取った信号を増幅するアンプ３４と、記録信号発生回路３３またはアンプ３４を介して光ピックアップユニットＰ１での記録・再生および光ピックアップユニットＰ１の概略のトラック位置を制御するとともに、前記した光テープ走行系を制御するコントロールユニット３５とを有する。
【００３９】
コントロールユニット３５は、光テープカートリッジ２０の光テープＯＴ１の一部に記録されている参照情報をデータ用光ピックアップＤＰで読み取って次の記録アドレスを決定した後に、記録アドレスにデータ用光ピックアップＤＰが位置するように光テープ走行系および光ピックアップユニットＰ１を駆動する。そして、データ用光ピックアップＤＰへ記録信号発生回路３３を介して記録信号を付与することで、データを記録し、またはアンプ３４を介して再生信号を取得する。
【００４０】
次に、以上のような光テープドライブ３０により光テープカートリッジ２０（光テープＯＴ１）を使用する方法について説明する。
光テープドライブ３０で、光テープＯＴ１に対し、最小のトラック幅でデータを記録するだけの場合には、図１に示すような、一種類の記録幅のみのデータ用光ピックアップＤＰを有する光ピックアップユニットＰ１でデータを記録すればよい。すなわち、トラックＴａ，Ｔｂ，Ｔｃ，Ｔｄ，Ｔｅ，Ｔｆ上にデータを記録する場合には、それぞれ、サーボ信号用光ピックアップＳＰでトラック（サーボトラック）ＴＡ，ＴＢ，ＴＣ，ＴＤ，ＴＥ，ＴＦのサーボ信号ＳＳ１を読み取って、サーボ信号用光ピックアップＳＰが各サーボトラックＳＴの中央をトレースするようにサーボ制御装置ＳＤで位置制御（トラッキング）を行いつつ、データ用光ピックアップＤＰでデータを記録する。この時、トラックＴａ，Ｔｂ，Ｔｃ，Ｔｄ，Ｔｅ，Ｔｆでは、もともとサーボ信号ＳＳ１及びアドレス信号ＡＤ１が記録されていたのを、データで上書きしていく。
【００４１】
そして、トラックＴａ，Ｔｂ，Ｔｃ，Ｔｄ，Ｔｅ，Ｔｆからデータを再生する場合には、記録時と同様に、サーボ信号用光ピックアップＳＰでトラック（サーボトラック）ＴＡ，ＴＢ，ＴＣ，ＴＤ，ＴＥ，ＴＦのサーボ信号ＳＳ１を読み取って、トラッキングを行いながらデータ用光ピックアップＤＰでデータを読み取る。
なお、このようなデータの記録方法は、光テープＯＴ１に複数のサーボトラックＳＴに跨ってデータが記録されている場合にも同様に行うことができる。つまり、複数のサーボトラックの幅（広いトラック幅）を記録単位とする光テープドライブでデータを記録した後に、この例のように狭いトラック幅でデータを追加記録することができる。
【００４２】
一方、光テープＯＴ１に対し、複数種類のトラック幅で記録する場合には、例えば図８に示すように、記録幅が複数種類のデータ用光ピックアップＤＰ１，ＤＰ２，ＤＰ３を有する光ピックアップユニットＰ２を用いるとよい。データ用光ピックアップＤＰ１は、サーボトラックＳＴの１つ分の記録幅を有し、データ用光ピックアップＤＰ２はサーボトラックＳＴの２つ分の記録幅を有し、データ用光ピックアップＤＰ３は、サーボトラックＳＴの３つ分の記録幅を有している。
【００４３】
このような光テープドライブで、トラックＴａをサーボトラックＳＴの１つ分の幅で記録する場合には、サーボ信号用光ピックアップＳＰでトラックＴＡのサーボ信号ＳＳ１を読み取ってトラッキングを行いながら、データ用光ピックアップＤＰ１でトラックＴａにデータを記録する。そして、トラックＴｂをサーボトラック３つ分の幅で記録する場合には、サーボ信号用光ピックアップＳＰでトラックＴＢのサーボ信号ＳＳ１を読み取ってトラッキングを行いながら、データ用光ピックアップＤＰ３でトラックＴｂにデータを記録する。
【００４４】
同様に、トラックＴｃ，ＴｄをそれぞれサーボトラックＳＴの１つ分の幅で記録する場合には、それぞれサーボ信号用光ピックアップＳＰでトラックＴＣ，ＴＤのサーボ信号ＳＳ１を読み取ってトラッキングを行いながら、データ用光ピックアップＤＰ１でトラックＴｃ，Ｔｄにデータを記録する。
【００４５】
また、トラックＴｅをサーボトラックＳＴの２つ分の幅で記録する場合には、サーボ信号用光ピックアップＳＰでトラックＴＥのサーボ信号ＳＳ１を読み取ってトラッキングを行いながら、データ用光ピックアップＤＰ２でトラックＴｅにデータを記録する。
【００４６】
なお、一つのデータ用光ピックアップを用い、レンズによる光の絞り方を変えて記録幅を変えれば、一つのサーボトラックＳＴに対し、一つのデータ用光ピックアップを設けるのでもよい。
【００４７】
このように、光テープＯＴ１が異なる種類のトラック幅でデータを記録することが可能なのは、従来、一般的なサーボ信号が磁気テープの長手方向に沿ってデータバンドの両側に設けられていたのに過ぎなかったのに対し、本実施形態ではサーボトラックＳＴが複数隣接して設けられていることで、いずれのサーボトラックＳＴをデータ用光ピックアップＤＰ１，ＤＰ２，ＤＰ３のいずれで上書きしようとも、サーボ信号用光ピックアップＳＰがサーボ信号ＳＳ１を読み取れるからである。また、各サーボトラックＳＴの各セルＣ１に、光テープの長手方向の位置と、幅方向の位置（トラック位置）が記録されているため、データ用光ピックアップＤＰ１，ＤＰ２，ＤＰ３が任意の位置で記録を開始しようとも、サーボ信号用光ピックアップＳＰでアドレス信号ＡＤ１を読むことで、必ずその記録すべき位置を特定できる。
【００４８】
また、従来のＬＴＯ規格などのように、サーボ信号ＳＳ１に磁気テープの長手方向の位置情報が埋め込まれていた場合には、１セットのサーボパターンを数百個読みとって初めて磁気テープの長手方向の位置が特定できていたのに対し、サーボ信号ＳＳ１とは別個に、各セルＣ１、または図５の変形例のように、長手方向の複数のセルＣ３０について一つのアドレス信号ＡＤ１，ＡＤ３が記録されているため、光テープの長手方向の位置がすぐに読み取れるので、データのアクセス速度を向上させることができる。
このように、任意の位置に、任意のトラック幅でデータを記録でき、各記録単位でアドレス信号を持っているため、ランダムアクセスに近いデータアクセスが可能である。
【００４９】
以上、本発明の実施形態について説明したが、本発明は前記した実施形態には限定されず、適宜変更して実施することが可能である。
例えば、実施形態においては、サーボ信号ＳＳ１が記録されたサーボトラックＳＴが、光テープＯＴ１の全幅にわたって記録されていたが、必ずしも全幅にわたって記録しておく必要はない。すなわち、光ピックアップユニットＰ１における、サーボ信号用光ピックアップＳＰの位置と、データ用光ピックアップＤＰの数および位置次第では、サーボ信号ＳＳ１が必要な部分は限られるので、例えば光テープＯＴ１の幅方向について、片側のエッジＥから光テープＯＴ１の４分の１の幅にわたる部分にサーボトラックＳＴを設けるなど、光テープＯＴ１の幅方向について一部のみにサーボトラックＳＴを配設するのでも構わない。
【００５０】
光テープＯＴ１の幅方向の一部についてサーボトラックＳＴを設けるのに伴い、データ記録時にサーボトラックＳＴを上書きするのではなく、無記録部分にデータを記録していくこともできる。
【００５１】
また、前記した実施形態では、参照情報を光テープＯＴ１の一部に記録することとしたが、光テープカートリッジ２０に、半導体記憶素子からなる接触式あるいは非接触式のメモリ（カートリッジメモリなどとも呼ばれる）を設け、この中に参照情報を記録しておくこともできる。この場合には、光テープドライブ３０にこれらのメモリから参照情報を読み出すメモリリーダを設け、前記コントロールユニット３５は、メモリリーダが読み出した参照情報に基づいて次の記録アドレスを決定するとよい。
【図面の簡単な説明】
【００５２】
【図１】本発明の実施形態に係る光テープの概念図である。
【図２】本発明の実施形態に係る光テープに記録されたサーボ信号を説明する図であり、（ａ）はサーボトラックの拡大図、（ｂ）はサーボパターンの拡大図、（ｃ）は（ａ）のＡ，Ｂ，Ｃ，Ｄの各ライン上をサーボ信号用光ピックアップがトレースして信号を読み取った時の信号の出力を示す。
【図３】サーボライタの模式図である。
【図４】サーボパターンの他の例を示す図であり、（ａ）はサーボトラックの拡大図、（ｂ）は（ａ）のＡ，Ｂ，Ｃ，Ｄの各ライン上をサーボ信号用光ピックアップがトレースして信号を読み取った時の信号の出力を示す。
【図５】図４のサーボパターンの変形例を示す図である。
【図６】光テープカートリッジの斜視図である。
【図７】光テープドライブの概念図である。
【図８】光テープ使用時の概念図である。
【符号の説明】
【００５３】
２０    光テープカートリッジ
２１    カートリッジケース
２２    リール
３０    光テープドライブ
３１    ガイドローラ
３２    装置リール
３５    コントロールユニット
ＡＤ１  アドレス信号
ＤＰ    データ用光ピックアップ
Ｅ      エッジ
Ｍ      モータ
ＯＴ１    光テープ
Ｐ１    光ピックアップユニット
ＳＰ    サーボ信号用光ピックアップ
ＳＰ１  サーボパターン
ＳＴ    サーボトラック
ＳＤ    サーボ制御装置
ＳＳ１  サーボ信号
【図１】
2005166164.tif 000003
【図２】
2005166164.tif 000004
【図３】
2005166164.tif 000005
【図４】
2005166164.tif 000006
【図５】
2005166164.tif 000007
【図６】
2005166164.tif 000008
【図７】
2005166164.tif 000009
【図８】
2005166164.tif 000010